(57)【特許請求の範囲】
【請求項１】
パケットを送信する際に、当該パケットに含まれる上位プロトコール、ポート番号に基づき転送グレードの指定単位である転送優先度識別子として作成し、当該転送優先度識別子を当該パケットに付加してフレーム構成しておき、
各中継手段において、前記転送識別子及び当該フレームの送信先のみを参照して中継するフレームを出力する出力リンクを前記転送グレードにより振り分け選択し、当該フレームを中継する、
ことを特徴とするトラヒック分散フレーム中継方法。
【請求項２】
パケットの送信を受ける送信元フレーム送受信手段にて、
当該パケットを受信すると、当該受信したパケットの送信先アドレスをもとにフレームの送信先アドレスが生成され、次に、送信されるパケットに含まれる上位プロトコール、ポート番号に基づき、転送グレードの指定単位である転送優先度識別子が生成され、最後に、ヘッダとしてパケットに前記送信先フレーム送受信手段の識別子と、前記転送優先度識別子との付加が為されて、一連に形成されたフレームをフレーム中継手段に送信し、
フレームを出力する一以上の出力リンクを有して任意の送信先フレーム送受信手段に対するフレームを中継する前記フレーム中継手段にて、前記送信先フレーム送受信手段の識別子及び前記転送優先度識別子毎に出力リンク識別子を対応付けたフレーム転送テーブルを用いて、当該中継するフレームにおける前記ヘッダ部の前記送信先フレーム送受信手段の識別子及び転送優先度識別子を参照して、当該中継するフレームを出力する出力リンクを選択して当該フレームを中継する、
ことを特徴とするトラヒック分散フレーム中継方法。
【請求項３】
前記フレーム中継手段における前記出力リンクの選択は、
フレームの受信により、先ず、当該フレームから送信先アドレス及び転送優先度識別子の抽出が行われ、次いで、前記フレーム転送テーブルを検索してその結果から出力リンクの決定が行われて、出力リンクが選択される、一連の処理により行われる、
ことを特徴とする請求項２に記載のトラヒック分散フレーム中継方法。
【請求項４】
パケット送受信装置と接続されるフレーム送受信装置と、当該フレーム送受信装置間に配置されるフレーム中継装置とでネットワークを構築するフレーム中継ネットワークにおいて、
当該フレーム中継装置は、
送信先フレーム送受信装置の送信先コアアドレスである識別子及び送信されるパケットのヘッダ情報に含まれる上位プロトコール、ポート番号に基づき生成される転送グレードの指定単位となる転送優先度識別子毎に、出力リンク識別子を対応付けたフレーム転送テーブルを備え、
中継するフレームのヘッダ部に含まれる送信先フレーム送受信装置の識別子及び転送優先度識別子から、前記フレーム転送テーブルに基づき、当該中継するフレームを出力する出力リンクを選択して当該フレームを中継する機能を有する、
ことを特徴とするトラヒック分散フレーム中継装置。
【請求項５】
前記フレーム中継装置は、
フレームを受信するフレーム受信部と、
フレームから送信元アドレス及び転送優先度識別子の抽出を行う送信先アドレス・転送優先度識別子抽出部と、
前記フレーム転送テーブルと、
当該フレーム転送テーブルを検索するフレーム転送テーブル検索部と、
当該検索の結果から前記出力リンクの決定を行う出力リンク決定部と、
前記出力リンクを選択する出力リンク選択部と、
フレームを送信するフレーム送信部と、
を具備する、
ことを特徴とする請求項４に記載のトラヒック分散フレーム中継装置。
【請求項６】
前記フレーム送受信装置は、
パケットを受信するパケット受信部と、
パケットの送信先アドレスから生成されるフレームの送信先アドレスと、前記転送優先度識別子とをヘッダとして構成してパケットに付加するヘッダ付加部と、
フレームを送信するフレーム送信部と、
を具備する、
ことを特徴とする請求項４又は５に記載のトラヒック分散フレーム中継装置。
【発明の詳細な説明】
【０００１】
【発明の属する技術分野】
本発明は、フレーム中継技術に関し、特に、品質サービスの為に帯域予約等のＱｏＳ制御、ＩＰ−ＶＰＮサービス等を行う、管理可能なインターネット通信網などの商用コネクションレス転送網において、品質サービスのグレード毎の中継経路を制御してトラヒックの分散を行って局所的な偏りによる輻輳を回避することにより品質サービスの安定化を図れる、トラヒック分散フレーム中継方法及び装置に関する。
【０００２】
【従来の技術】
従来、管理可能なＩＳＰ網などの商用コネクションレス転送網において、外部に対してＩＰ等のパケット通信インタフェースを提供しつつ、フレーム中継ネットワークを用いて中継処理の高速を図ると共に、ＩＰ−ＶＡＮ及び複数の転送グレードを設定する品質サービスなどのサービスの提供が行われている。
【０００３】
この品質サービスでは、ユーザのＩＰパケットではヘッダ情報の送受信ＩＰアドレス、上位プロトコール、ポート番号などが同一であるものがフローとして識別され、フローに対応する転送グレード毎にフレームのヘッダの転送優先度識別子が記述されている。そして、フレーム中継ネットワークにおけるフレーム中継装置（ルータなど）では、フレームヘッダが参照され、転送優先度識別子に基づいたスケジューリングが行われ、送信先ＩＰアドレスに基づいて転送方路が決定され、転送が行われている。
【０００４】
しかしながら、品質サービスにおいて、優先的に転送するグレードのフレームが局所的に集中して、転送品質が劣化することがある。この場合、グレード毎のフレーム中継経路をネットワーク内で均等に分散させて、転送品質を維持することが可能である。
【０００５】
その為に、フレーム中継ネットワーク内の各フレーム中継装置が、任意の転送先フレーム送受信装置に対するフレームを出力する出力リンクを複数保有する場合において、フレーム中継装置が送信先フレーム中継送受信装置に対するフレームを中継する際に、送信先フレーム送受信装置の識別子を参照して、複数の出力リンクから実際に出力するリンクを任意に選択してフレームを中継する方法（第１の方法）がある。
【０００６】
また、各フレーム中継装置が、送信先フレーム送受信装置の識別子に加えて、フレーム構成とされたパケット中の、送受信ＩＰアドレス、上位プロトコール、ポート番号などを参照してフローを識別して、同一の転送グレードであるフレームに対しては同一の出力リンクを選択してフレームを中継する方法（第２の方法）もある。
【０００７】
【発明が解決しようとする課題】
ところが、第１の方法では、同一フローに属する複数のフレーム構成とされたパケットが異なるフレーム中継経路を経由する為、送信先パケット送受信装置におけるパケットの到着順序の逆転や、品質制御の為のフレーム中継経路における帯域予約の困難が生じるなどの問題がある。
【０００８】
また、第２の方法では、各フレーム中継装置において、パケット中の送受信ＩＰアドレス、上位プロトコール、ポート番号などをフローと対応付ける処理及びフロー毎に転送方路を対応付ける処理が必要となり、フロー数の増加に伴って転送テーブルと転送処理量が増大する為、転送性能を劣化される問題がある。
【０００９】
ここにおいて、本発明の解決すべき主要な目的は以下の通りである。
【００１０】
本発明の第１の目的は、フレーム中継手段の転送性能の劣化を防ぐ為に複雑な処理を付加することなしに、フレーム中継ネットワーク内での転送グレード毎のトラヒック分散を行う、トラヒック分散フレーム中継方法及び装置を提供することにある。
【００１１】
本発明の第２の目的は、トラヒックの局所的な偏りによる輻輳を回避できる、トラヒック分散フレーム中継方法及び装置を提供することにある。
【００１２】
本発明の第３の目的は、安定な品質サービスを提供できる、トラヒック分散フレーム中継方法及び装置を提供することにある。
【００１３】
本発明の他の目的は、明細書、図面、特に、特許請求の範囲における各請求項の記載から自ずと明らかである。
【００１４】
【課題を解決するための手段】
本発明方法は、上記課題の解決に当たり、パケットを送信する際に、当該パケットの転送優先度識別子をパケットに付加してフレーム構成しておき、各中継手段において、当該転送優先度識別子及び当該フレームの送信先のみを参照して出力リンクを決定して中継する、特徴的構成手法を講じる。
【００１５】
本発明装置は、上記課題の解決に当たり、パケット送受信装置と接続されるフレーム送受信装置と、当該フレーム送受信装置間に配置されるフレーム中継装置とでネットワークを構築するフレーム中継ネットワークにおいて、当該フレーム中継装置は、送信先フレーム送受信装置の識別子及び転送優先度識別子毎に、出力リンク識別子を対応付けたフレーム転送テーブルを備え、中継するフレームのヘッダ部に含まれる送信先フレーム送受信装置の識別子及び転送優先度識別子から、前記フレーム転送テーブルに基づき、当該中継するフレームを出力する出力リンクを選択して当該フレームを中継する機能を有する、特徴的構成手段を講じる。
【００１６】
更に、具体的詳細に述べると、上記課題の解決は、本発明が次に列挙する新規な特徴的構成手法又は手段の採用により、上記目的を達成するように為される。
【００１７】
本発明方法の第１の特徴は、パケットを送信する際に、当該パケットに含まれる上位プロトコール、ポート番号に基づき転送グレードの指定単位である転送優先度識別子として作成し、当該転送優先度識別子を当該パケットに付加してフレーム構成しておき、各中継手段において、前記転送識別子及び当該フレームの送信先のみを参照して中継するフレームを出力する出力リンクを前記転送グレードにより振り分け選択し、当該フレームを中継してなる、トラヒック分散フレーム中継方法の構成採用にある。
【００１８】
本発明方法の第２の特徴は、パケットの送信を受ける送信元フレーム送受信手段にて、当該パケットを受信すると、当該受信したパケットの送信先アドレスをもとにフレームの送信先アドレスが生成され、次に、送信されるパケットに含まれる上位プロトコール、ポート番号に基づき、転送グレードの指定単位である転送優先度識別子が生成され、最後に、ヘッダとしてパケットに前記送信先フレーム送受信手段の識別子と、前記転送優先度識別子との付加が為されて、一連に形成されたフレームをフレーム中継手段に送信し、フレームを出力する一以上の出力リンクを有して任意の送信先フレーム送受信手段に対するフレームを中継する前記フレーム中継手段にて、前記送信先フレーム送受信手段の識別子及び前記転送優先度識別子毎に出力リンク識別子を対応付けたフレーム転送テーブルを用いて、当該中継するフレームにおける前記ヘッダ部の前記送信先フレーム送受信手段の識別子及び転送優先度識別子を参照して、当該中継するフレームを出力する出力リンクを選択して当該フレームを中継してなる、トラヒック分散フレーム中継方法の構成採用にある。
【００１９】
本発明方法の第３の特徴は、上記本発明方法の第２の特徴における前記フレーム中継手段における前記出力リンクの選択が、フレームの受信により、先ず、当該フレームから送信先アドレス及び転送優先度識別子の抽出が行われ、次いで、前記フレーム転送テーブルを検索してその結果から出力リンクの決定が行われて、出力リンクが選択される、一連の処理により行われてなる、トラヒック分散フレーム中継方法の構成採用にある。
【００２０】
本発明装置の第１の特徴は、パケット送受信装置と接続されるフレーム送受信装置と、当該フレーム送受信装置間に配置されるフレーム中継装置とでネットワークを構築するフレーム中継ネットワークにおいて、当該フレーム中継装置は、送信先フレーム送受信装置の送信先コアアドレスである識別子及び送信されるパケットのヘッダ情報に含まれる上位プロトコール、ポート番号に基づき生成される転送グレードの指定単位となる転送優先度識別子毎に、出力リンク識別子を対応付けたフレーム転送テーブルを備え、中継するフレームのヘッダ部に含まれる送信先フレーム送受信装置の識別子及び転送優先度識別子から、前記フレーム転送テーブルに基づき、当該中継するフレームを出力する出力リンクを選択して当該フレームを中継する機能を有してなる、トラヒック分散フレーム中継方法の構成採用にある。
【００２１】
本発明装置の第２の特徴は、上記本発明装置の第１の特徴における前記フレーム中継装置が、フレームを受信するフレーム受信部と、フレームから送信元アドレス及び転送優先度識別子の抽出を行う送信先アドレス・転送優先度識別子抽出部と、前記フレーム転送テーブルと、当該フレーム転送テーブルを検索するフレーム転送テーブル検索部と、当該検索の結果から前記出力リンクの決定を行う出力リンク決定部と、前記出力リンクを選択する出力リンク選択部と、フレームを送信するフレーム送信部と、を具備してなる、トラヒック分散フレーム中継方法の構成採用にある。
【００２２】
本発明装置の第３の特徴は、前記フレーム送受信装置が、パケットを受信するパケット受信部と、パケットの送信先アドレスから生成されるフレームの送信先アドレスと、前記転送優先度識別子とをヘッダとして構成してパケットに付加するヘッダ付加部と、フレームを送信するフレーム送信部と、を具備してなる、トラヒック分散フレーム中継装置の構成採用にある。
【００２６】
以上の本発明の特徴を講ずることにより、フレーム中継ネットワーク内で、転送優先度毎にフレーム送受信装置間におけるフレーム中継経路が一意に定まり、同一フローに属するフレームが異なる経路を経由することなく（パケットの到着順序の逆転現象はなくなり）、転送優先度毎に異なる経路を経由することが可能となり、更には、各中継装置間にて、ヘッダ部の転送優先度識別子を参照して、転送グレード毎にフレームを出力することが可能となるので、フレーム構成とされたパケットの送受信ＩＰアドレス、上位プロトコール、ポート番号などを参照してフローを識別する必要がなくなる。
【００２７】
【発明の実施の形態】
本発明の実施の形態を、装置例及び方法例につき以下図面を参照して説明する。
【００２８】
（装置例）
図１は、本発明の一実施形態であるトラヒック分散フレーム中継装置の適用場面を示した説明図である。
図中、１、２はパケット送受信装置、３はトラヒック分散フレーム中継ネットワーク（以下、「フレーム中継ネットワーク」とする）、４、５はフレーム送受信装置、６乃至９は、トラヒック分散フレーム中継装置（以下、「フレーム中継装置」とする）である。
【００２９】
フレーム送受信装置４、５はフレーム中継装置６乃至９を介して接続され、フレーム送受信装置４、５とフレーム中継装置６乃至９とはフレーム中継ネットワーク３を構成する。そして、各フレーム中継装置６乃至９は、例えば送信先のフレーム送受信装置５に対するフレーム出力可能なリンクとして、フレーム中継装置６では、１０、１１の出力リンクを、フレーム中継装置７では１２の出力リンクを、フレーム中継装置８では１３の出力リンクを、それぞれ保有する。
【００３０】
図２は、フレーム中継ネットワーク３に対してパケット送受信装置１、２から送信されるパケットの一例であるＩＰパケットの構成である。
ＩＰパケット２１は、ＩＰヘッダ２２として、送信先ＩＰアドレス２３、送信元ＩＰアドレス２４、上位プロトコール２５を記述し、ペイロード部２６として、上位プロトコールのポート番号２７が記述されている。ここで、送信先ＩＰアドレス２３は、送信先となるＩＰパケット２１のフレーム送受信装置５の識別番号である。
【００３１】
図３（ａ）（ｂ）は、フレーム中継ネットワーク３で使用されるコアフレーム及びコアヘッダの各構成の一例である。
【００３２】
コアフレーム３１は、ＩＰパケット２１に、ラベルであるコアヘッダ３２を付加して構成される（フレーム送受信装置４、５において為される）。ここで、コアヘッダ３２には、送信先となるフレーム送受信装置５の識別子である送信先コアアドレス３３、転送優先度の識別子であるトラヒッククラス（ＴＣ：Ｔｒａｆｆｉｃ  Ｃｌａｓｓ）３４が記述される。
【００３３】
図４は、フレーム中継ネットワーク３におけるフレーム送受信装置４についてフレーム送受信を説明する上での内部構成図であり、フレーム送受信装置４におけるフレーム送受信の動作を説明して内部構成を説明すると以下の通りである。
【００３４】
フレーム送受信装置４において、ＩＰパケット２１はＩＰパケット受信部４１にて受信され、その後、コアヘッダ付加部４２にて、先ず、送信先ＩＰアドレス２３をもとに送信先コアアドレス３３が生成され、次に、送信先ＩＰアドレス２３、送信元ＩＰアドレス２４、上位プロトコール２５、ポート番号２７（送信されるパケットのヘッダ情報）に基づき、転送グレードの指定単位であるところの転送優先度識別子（ＴＣ）３４が生成され、最後に、コアヘッダ３２としてＩＰパケット２１に付加してコアフレーム３１を構成し、コアフレーム送信部４３からコアフレーム３１を送信する。
【００３５】
図５は、フレーム中継ネットワークにおけるフレーム中継装置６について、フレーム中継を説明する上での内部構成図であり、フレーム中継装置６におけるフレーム中継の動作を説明して内部構成を説明すると以下の通りである（他のフレーム中継装置７、８、９も同様である）。
【００３６】
フレーム中継装置６は、コアフレーム受信部６１にてコアフレーム３１を受信し、送信先コアアドレス・転送優先度識別子抽出部６２にて送信先コアアドレス３３及び転送優先度識別子３４を抽出して、フレーム転送テーブル検索部６３にてフレーム転送テーブル６４（送信先フレーム送受信装置の識別子である送信先コアアドレス３３と転送優先度識別子３４から出力リンクを導出するためのテーブル）の検索が行われ、その検索結果から、出力リンク決定部６５にて出力リンクの決定が行われ、出力リンク選択部６６で出力リンクを選択し、コアフレーム送信部６７又はコアフレーム送信部６８からコアフレーム３１が送信される。
【００３７】
尚、図５では、コアフレーム送信部６７からコアフレーム３１が送信された場合を示している。また、図６は、フレーム中継装置６内のフレーム転送テーブル６４であり、同図の様に、フレーム転送テーブル６４は、送信先コアアドレス３３及び転送優先度識別子３４毎に、各フレーム中継装置６乃至９の出力リンクが対応付けされており、送信先コアアドレス３３及び転送優先度識別子３４による検索により、出力リンクを得られる様に構成される。
【００３８】
（方法例）
本発明の一実施形態であるトラヒック分散フレーム中継方法は、パケットを送信する際に、当該パケットの転送優先度識別子をパケットに付加してフレーム構成しておき、各中継手段において、当該転送優先度識別子及び当該フレームの送信先のみを参照してリンク先を決定して中継することを、その基本とする。
【００３９】
具体的には、送信先フレーム送受信装置５の識別子及び転送優先度識別子を含んだＩＰヘッダ２２が送信すべきＩＰパケット２１に付加されてフレーム構成され、送信元フレーム送受信装置４から送信されたフレームに対して、送信先フレーム送受信装置５の識別子及び転送先優先度識別子毎に出力リンクを対応付けたフレーム転送テーブルを設けた各中継手段にて、当該フレームのＩＰヘッダ２２の両識別子を参照しつつ当該フレーム転送テーブルを用いて、中継するフレームを出力する出力リンクを選択し、当該フレームを中継する方法である。
【００４０】
以下、前述した装置例における実際の形態について説明する。尚、前述の装置例にて各装置の動作等については説明したので繰り返さない。
【００４１】
図７は、図１のフレーム中継システム３における、本発明一実施形態であるトラヒック分散フレーム中継方法についての説明図である。同図に基づきながら、トラヒック分散フレーム中継方法について、フレーム経路制御方法の一例を挙げ、具体的なケースを想定して説明する。
【００４２】
図７において、パケット送受信装置１、パケット送受信装置２、フレーム送受信装置４、フレーム送受信装置５の識別子を、それぞれ、「＃ＩＰ１」、「＃ＩＰ２」、「＃Ｃ１」、「＃Ｃ２」とし、またフレーム中継装置６、７、８、９は送信先フレーム送受信装置５に対するフレームが出力可能な出力リンクとして、フレーム中継装置６は出力リンク１０、１１を、フレーム中継装置７は出力リンク１２を、フレーム中継装置８は出力リンク１３を、フレーム中継装置９は、出力リンク１４を保有する。
【００４３】
フレーム送受信装置４においては、送信先ＩＰアドレス２３、送信元ＩＰアドレス２４、上位プロトコール２５、ポート番号２７が、それぞれ、「＃ＩＰ２」、「＃ＩＰ１」、「＃Ｐｒ３」、「＃Ｐｏ４」のとき、付加されるコアヘッダの送信先コアアドレス３３、転送優先度識別子（ＴＣ）３４がそれぞれ「＃Ｃ２」、「＃ＴＣ１」としてコアヘッダが生成されてコアフレーム３１が構成される。
【００４４】
そして、送信先ＩＰアドレス７３、送信元ＩＰアドレス７４、上位プロトコール７５、ポート番号７７が、それぞれ、「＃ＩＰ２」、「＃ＩＰ１」、「＃Ｐｒ５」、「＃Ｐｏ６」のとき、付加されるコアヘッダの送信先コアアドレス８３、転送優先度識別子（ＴＣ）８４がそれぞれ「＃Ｃ２」、「＃ＴＣ２」としてコアヘッダが生成され、コアフレーム８１が構成されるものとする。
【００４５】
ここで、フレーム中継装置６のフレーム転送テーブル６４を、図６の様に、又、フレーム中継装置７、８、９の各フレーム転送テーブル７８、８４、９４を、図８に示した様に、それぞれ設定したとする。
【００４６】
ここで一例として、パケット送受信装置１が、送信先ＩＰアドレス２３、送信元ＩＰアドレス２４、上位プロトコール２５、ポート番号２７をそれぞれ「＃ＩＰ２」、「＃ＩＰ１」、「＃Ｐｒ３」、「＃Ｐｏ４」とするＩＰパケット２１を送信したとすると、以下の、フレーム中継ネットワーク３の動作により、ＩＰパケット２１がパケット受信装置２に受信される。
【００４７】
フレーム送受信装置４が、送信先コアアドレス３３、転送優先度識別子（ＴＣ）３４にそれぞれ「＃Ｃ２」、「＃ＴＣ１」を記述したコアヘッダ３２をＩＰパケット２１に付加してコアフレーム３１を生成しフレーム中継装置６に送信する。
【００４８】
次に、フレーム中継装置６は、フレーム転送テーブル６４に基づいて、当該フレームを出力リンク番号が「＃Ｌ１」の出力リンク１０に出力し、次いで、フレーム中継装置７がフレーム転送テーブル７８に基づいて、当該フレームを出力リンク番号が「＃Ｌ１」の出力リンク１２に出力する。
【００４９】
更に、フレーム中継装置９がフレーム転送テーブル９４に基づいて、当該フレームを出力リンク番号が「＃Ｌ１」の出力リンク１４に出力し、最後に、フレーム送受信装置５が、コアフレーム３１からコアヘッダを取り除き、ＩＰパケット２１の送信先ＩＰアドレス２３に基づき、ＩＰパケット２１をパケット送受信装置２に転送する。
【００５０】
尚、上記装置例における説明では、フレーム送受信装置においては、ＩＰパケットからコアフレームを構成する処理及びそれに関連する内部装置構成について説明したが、これとは逆に、フレーム中継ネットワーク３からコアフレームを受信するコアフレーム受信部、コアフレームからコアヘッダを取り除きパケットとするコアヘッダ除去部、当該パケットを送信するパケット送信部などで構成されることは、詳説する必要はなかろう。
【００５１】
ここで別の一例として、パケット送受信装置１が、送信先ＩＰアドレス７３、送信元ＩＰアドレス７４、上位プロトコール７５、ポート番号７７をそれぞれ「＃ＩＰ２」、「＃ＩＰ１」、「＃Ｐｒ５」、「＃Ｐｏ６」とするＩＰパケット７１を送信したとすると、以下の、フレーム中継ネットワーク３の動作により、ＩＰパケット７１がパケット受信装置２に受信される。
【００５２】
フレーム送受信装置４が、送信先コアアドレス８３、転送優先度識別子（ＴＣ）８４にそれぞれ「＃Ｃ２」、「＃ＴＣ２」を記述したコアヘッダ８２をＩＰパケット７１に付加してコアフレーム８１を生成しフレーム中継装置６に送信する。
【００５３】
次に、フレーム中継装置６は、フレーム転送テーブル６４に基づいて、当該フレームを出力リンク番号が「＃Ｌ２」の出力リンク１１に出力し、次いで、フレーム中継装置８がフレーム転送テーブル８４に基づいて、当該フレームを出力リンク番号が「＃Ｌ１」の出力リンク１３に出力する。
【００５４】
更に、フレーム中継装置９がフレーム転送テーブル９４に基づいて、当該フレームを出力リンク番号が「＃Ｌ１」の出力リンク１４に出力し、最後に、フレーム送受信装置５が、コアフレーム８１からコアヘッダを取り除き、ＩＰパケット７１の送信先ＩＰアドレス７３に基づき、ＩＰパケット７１をパケット送受信装置２に転送する。
【００５５】
上記の様に、フレーム送受信装置５を送信先として、優先度識別子が「＃ＴＣ１」であるフレームはフレーム中継経路Ｌ１を経由させ、フレーム送受信器５を送信先として、優先度識別子が「＃ＴＣ２」であるフレームはフレーム中継経路Ｌ２を経由する様に構成することで、各フレーム中継装置６乃至９では、送信先ＩＰアドレス、送信元ＩＰアドレス、上位プロトコール、ポート番号を識別することなく分散することができる。
【００５６】
尚、前述の説明においては、理解を容易ならしめる為に、説明上、ＩＰパケット２１にコアヘッダ３２を付加したフレームの転送を行うフレーム送受信装置４，５を二装置、フレーム中継装置６〜９を四装置として構成したフレーム中継ネットワークについて述べたものの、本発明は、これに限定されることはない。
【００５７】
そして、本発明によれば、フレーム中継ネットワークの各フレーム中継装置において、任意の送信先フレーム送受信装置に対するフレームが出力可能な出力リンクを一つ以上保有し、フレーム中継装置間において、一つ以上のフレーム中継経路を用いることが可能な場合に、フレーム中継装置において、フレーム構成されたパケットの転送優先度の識別を行う為の送信先ＩＰアドレス、送信元ＩＰアドレス、上位プロトコール、ポート番号の処理を一切要することなく、送信先フレーム送信装置が同一で、かつ転送優先度が異なるフレームを、異なるフレーム中継経路を用いて転送することが可能になる。
【００５８】
従って、フレーム中継ネットワーク内での転送優先度毎のトラヒック分散を行い、トラヒックの局在的な偏りがもたらす輻輳を回避することにより、品質サービスの安定化を図ると共に、送信先フレーム送受信装置と転送優先度毎のフレーム中継経路を特定することによりパケットの到着順序の逆転を防止し、フレーム中継ネットワーク内での品質制御の為の帯域予約を容易にすることができる。
【００５９】
以上、本発明の実施の形態を説明したが、本発明は、必ずしも前記実施の形態に限定されるものではなく、その要旨を逸脱しない範囲において、種種の変更は可能であり、本発明の目的を達し下記する効果を奏する範囲において、適宜変更して実施可能であることは勿論のことである。
【００６０】
尚、本発明の実施の形態では、図３に記載した様な構成のフレームにおいて説明を付しているので、特にこのフレームをコアフレームと称し、これに対応させて、送信先アドレスを送信先コアアドレスと、ヘッダをコアヘッダと、ヘッダ付加部をコアヘッダ付加部と、フレーム送信部をコアフレーム送信部と、フレーム受信部をコアフレーム受信部と、送信先アドレスを送信先コアアドレスなどとしてある。
【００６１】
【発明の効果】
本発明によれば、（ｉ）フレーム中継装置において、フレーム構成されたパケットの送信先パケット送受信装置、発信元パケット送受信装置、上位プロトコール、ポート番号などを参照してフローを認識するのに必要な処理を一切必要とせずに、受信先フレーム送受信装置が同一であるフレームを転送優先度毎に異なるフレーム中継経路を用いて転送することができるという効果、（ｉｉ）フレーム中継ネットワーク内での転送優先度毎のトラヒック分散を行い、トラヒックの局所的な偏りがもたらす輻輳を回避することができ品質サービスの安定化を図り、送信先フレーム送受信装置と転送優先度毎のフレーム中継経路を特定することによりパケットの到着順序の逆転を防止し、フレーム中継ネットワーク内での品質制御の為の帯域予約を容易にすることができるという効果に代表される極めて有益な効果を奏する。
【図面の簡単な説明】
【図１】本発明の一実施形態であるトラヒック分散フレーム中継装置の適用場面を説明した説明図である。
【図２】図１のパケット送受信装置がトラヒック分散フレーム中継ネットワークに対して送信するパケットの構成の一例である。
【図３】（ａ）（ｂ）は、図１のトラヒック分散フレーム中継ネットワークにて使用されるフレーム及びヘッダの各構成である。
【図４】図１のフレーム送受信装置についての、フレーム送受信を説明する上での内部構成図である。
【図５】図１のフレーム中継装置についての、フレーム中継を説明する上での内部構成図である。
【図６】図５におけるフレーム中継装置のフレーム転送テーブルの一例である。
【図７】本発明一実施形態であるトラヒック分散フレーム中継方法についての説明図である。
【図８】本発明の実施の形態にて説明する具体的例示における、各フレーム中継装置のフレーム転送テーブルの一例である。
【符号の説明】
１、２…パケット送受信装置
３…トラヒック分散フレーム中継ネットワーク（フレーム中継ネットワーク）
４、５…フレーム送受信装置
６、７、８、９…トラヒック分散フレーム中継装置（フレーム中継装置）
１０、１１、１２、１３、１４…出力リンク
２１、７１…ＩＰパケット
２２…ＩＰヘッダ
２３、７３…送信先ＩＰアドレス
２４、７４…送信元ＩＰアドレス
２５、７５…上位プロトコール
２６…ペイロード部
２７、７７…ポート番号
３１、８１…コアフレーム
３２…コアヘッダ
３３…送信先コアアドレス
３４…転送優先度識別子（ＴＣ）
４１…ＩＰパケット受信部
４２…コアヘッダ付加部
４３…コアフレーム送信部
６１…コアフレーム受信部
６２…送信先コアアドレス・転送優先度識別子抽出部
６３…フレーム転送テーブル検索部
６４、７８、８４、９４…フレーム転送テーブル
６５…出力リンク決定部
６６…出力リンク選択部
６７、６８…コアフレーム送信部
Ｌ１、Ｌ２…フレーム中継経路
【図１】
0003729746.tif 000002
【図２】
0003729746.tif 000003
【図３】
0003729746.tif 000004
【図４】
0003729746.tif 000005
【図５】
0003729746.tif 000006
【図６】
0003729746.tif 000007
【図７】
0003729746.tif 000008
【図８】
0003729746.tif 000009